(57)【要約】      （修正有）【解決手段】物品が収容される収容凹部を構成する土手部２の側壁２ｂの抜き勾配が、外周壁１の抜き勾配より大きく形成されているダネッジであって、上に位置するダネッジの外周壁１が、下に位置するダネッジの外周壁１に当接するとともに、上に位置するダネッジの上記側壁２ｂ１の裏面から膨出している縦凸条４０’が、下に位置するダネッジの上記側壁２ｂ２に当接するように構成したものである。【効果】ネスティング作業の作業性が向上するとともに、上に位置するダネッジの外周壁が、下に位置するダネッジの外周壁に当接するとともに、上に位置するダネッジの上記側壁の裏面から膨出している縦凸条が、下に位置するダネッジの上記側壁に当接するように構成されているので、上に位置するダネッジが下方に撓むようなことがなく、多数のダネッジを、安定した状態でネスティングすることができる。【選択図】図５
2005053487.tif 000002
【特許請求の範囲】
【請求項１】
物品が収容される収容凹部を構成する土手部の側壁の抜き勾配が、外周壁の抜き勾配より大きく形成されているダネッジであって、ネスティング状態において、上に位置するダネッジの外周壁が、下に位置するダネッジの外周壁に当接するとともに、上に位置するダネッジの上記側壁の裏面から膨出している縦凸条が、下に位置するダネッジの上記側壁に当接するように構成されていることを特徴とするダネッジ。
【発明の詳細な説明】
【０００１】
【発明の属する技術分野】
本発明は、載置される物品の形状に応じた収容凹部を有する、合成樹脂で一体成形されたダネッジに関するものである。
【０００２】
【従来の技術】
従来、真空成形により成形されるダネッジを構成する外周壁や、物品の収容凹部を形成する凸部や土手部等の側壁は、金型からのダネッジの抜き易さ等を考慮して、垂直面に対する傾斜角度（以下、抜き勾配という。）が、３〜５度程度である。このようなダネッジは、一例として、特許文献１に開示されている。
【０００３】
【特許文献１】
実用新案登録第３０８０７９９号公報
【０００４】
【発明が解決しようとする課題】
図７〜図１１を用いて、従来のダネッジ及び該ダネッジが有する課題について説明する。
【０００５】
図７には、真空成形により成形された一例としての鞍状のダネッジＤ’が示されている。この単純化されたダネッジＤ’は、平面形状が方形状の箱型に形成されており、外周壁１と、外周壁１の相対する周壁部１ａを連結する土手部２とを有しており、外周壁１と土手部２と底部３とで形成された一対の収容凹部Ｓに、物品が収容されるように構成されている。
【０００６】
土手部２は、天部２ａと側壁２ｂとを有しており、側壁２ｂには、縦方向に延在する縦溝４が、所定の間隔で複数本、形成されている。土手部２を構成する側壁２ｂに形成された縦溝４は、相対する側壁部４ａと奥壁部４ｂとを有しており、相対する側壁部４ａは、下方に行くにしたがって、互いに接近するように傾斜しているとともに、奥壁部４ｂから側壁２ｂに行くにしたがって、互いに離反するように傾斜している。従って、縦溝４は、下方から上方に向かって拡がるように構成されているとともに、奥壁部４ｂから側壁２ｂに向かって外側に拡がるように構成されている。なお、縦溝４を、天部２ａや底部３まで延長して形成することも、また、相対する側壁部４ａ及び天部２ａに亘たって、連続した縦溝４を形成することもできる。
【０００７】
また、外周壁１の抜き勾配θ１及び土手部２を構成する側壁２ｂの抜き勾配θ２は、略同じであり、３〜５度程度に形成されている。
【０００８】
上述した構成を有するダネッジＤ’は、真空成形により形成されているので、ダネッジＤ’を裏側から見た場合には、土手部２内には、土手部２に対応して、下方が開放されたトンネル状の空洞空間２’が形成されているとともに、土手部２を構成する側壁２ｂに形成された縦溝４に対応して、側壁２ｂの裏面（空洞空間２’側の面）２ｂ１から、縦凸条４’が膨出している。
【０００９】
上述した構成を有する２つのダネッジＤ’を、上下方向に配置した際には、上に位置するダネッジＤａ’の底部３及び底部３付近の外周壁１が、下に位置するダネッジＤｂ’の上部開口部に挿入されるとともに、下に位置するダネッジＤｂ’の土手部２の上部が、上に位置するダネッジＤａ’の下方が開放された空洞空間２’の下部に挿入されることになる。この時点では、上に位置するダネッジＤａ’と下に位置するダネッジＤｂ’とは、互いに、如何なる個所においても接触してない。その後、上に位置するダネッジＤａ’を下げると、上に位置するダネッジＤａ’の外周壁１の外面１ａが、下に位置するダネッジＤｂ’の外周壁１の内面１ｂに当接するとともに、下に位置するダネッジＤｂ’の土手部２の側壁２ｂの外面（収容凹部Ｓ側の面）２ｂ２が、上に位置するダネッジＤａ’の空洞空間２’を形成する土手部２の側壁２ｂの裏面２ｂ１に当接し、上に位置するダネッジＤａ’が、それ以上、下に位置するダネッジＤｂ’に挿入されることはなく、所謂、上に位置するダネッジＤａ’の下に位置するダネッジＤｂ’へのネスティングが終了することになる。なお、このようなネスティング状態においては、上に位置するダネッジＤａ’の土手部２を構成する側壁２ｂの裏面２ｂ１から膨出している縦凸条４’は、下に位置するダネッジＤｂ’の土手部２を構成する側壁２ｂに形成された縦溝４の側壁部４ａや奥壁部４ｂに接触していない。
【００１０】
ネスティング状態においては、上に位置するダネッジＤａ’と下に位置するダネッジＤｂ’とは、上述したように、上に位置するダネッジＤａ’の外周壁１の外面１ａが、下に位置するダネッジＤｂ’の外周壁１の内面１ｂに当接しているとともに、上に位置するダネッジＤａ’の空洞空間２’を形成する土手部２の側壁２ｂの裏面２ｂ１が、下に位置するダネッジＤｂ’の土手部２の側壁２ｂの外面２ｂ２に当接しているので、安定した状態でネスティングされており、且つ、上に位置するダネッジＤａ’の空洞空間２’を形成する土手部２の側壁２ｂの裏面２ｂ１が、下に位置するダネッジＤｂ’の土手部２の側壁２ｂの外面２ｂ２に当接しているので、上に位置するダネッジＤａ’の中央部が下方に撓むようなこともない。
【００１１】
ところで、抜き勾配が、垂直に近い程、即ち、小さいほど、ネスティングがし難く、その作業性が悪く、また、ネスティング効率（上に位置するダネッジが、下に位置するダネッジにどの程度挿入できるかの度合）が悪くなるが、ダネッジを深くすることができるとともに、その内容積を大きくすることができ、高さの高い大きな物品を収容することができる。一方、抜き勾配が、水平に近い程、即ち、大きいほど、ネスティングがし易く、その作業性が向上し、また、ネスティング効率が良くなるが、ダネッジの深さが浅くなったり、また、その内容積が小さくなり、高さの高い大きな物品を収容することができなくなる。
【００１２】
上述した、抜き勾配の大小による利点や欠点を勘案して、図１２に示されているように、ダネッジＤ’の外周壁１の抜き勾配θ１を従来のダネッジのように、３〜５度程度と小さく形成し、ダネッジＤ’内に形成される土手部２の側壁２ｂの抜き勾配θ２を、外周壁１の抜き勾配θ１に比べて、大きくすることが考えられる。しかしながら、土手部２の側壁２ｂの抜き勾配θ２を、外周壁１の抜き勾配θ１より大きくすると、図１３に示されているように、ネスティング状態において、上に位置するダネッジＤａ’の外周壁１の外面１ａは、下に位置するダネッジＤｂ’の外周壁１の内面１ｂに当接しているが、上に位置するダネッジＤａ’の空洞空間２’を形成する土手部２の側壁２ｂの裏面２ｂ１は、下に位置するダネッジＤｂ’の土手部２の側壁２ｂの外面２ｂ２に当接していないことになる。
【００１３】
上述したように、ネスティング状態において、上に位置するダネッジＤａ’の空洞空間２’を形成する土手部２の側壁２ｂの裏面２ｂ１が、下に位置するダネッジＤｂ’の土手部２の側壁２ｂの外面２ｂ２に当接しておらず、上に位置するダネッジＤａ’の空洞空間２’を形成する土手部２の側壁２ｂの裏面２ｂ１と下に位置するダネッジＤｂ’の土手部２の側壁２ｂの外面２ｂ２との間に、間隙ができると、上に位置するダネッジＤａ’が下方に撓み変形するという問題が発生する。
【００１４】
また、上に位置するダネッジＤａ’の重量を支える個所が、上に位置するダネッジＤａ’の外周壁１の外面１ａと下に位置するダネッジＤｂ’の外周壁１の内面１ｂとの接触個所のみであり、この接触個所で、上に位置するダネッジＤａ’の重量を支えることになるので、上に位置するダネッジＤａ’の外周壁１の外面１ａが、下に位置するダネッジＤｂ’の外周壁１の内面１ｂに強く当接するとともに、上に位置するダネッジＤａ’が、下に位置するダネッジＤｂ’に深く嵌入されることになり、ネスティング状態の上に位置するダネッジＤａ’を、下に位置するダネッジＤｂ’から取り出すことが困難になるという問題が発生することになる。
【００１５】
本発明の目的は、物品の収容凹部を構成する側壁の抜き勾配が、ダネッジの外周壁の抜き勾配より大きい場合に発生する、上述した課題を解決することにある。
【００１６】
【課題を解決するための手段】
本発明は、上述した目的を達成するために、物品が収容される収容凹部を構成する土手部の側壁の抜き勾配が、外周壁の抜き勾配より大きく形成されているダネッジであって、ネスティング状態において、上に位置するダネッジの外周壁が、下に位置するダネッジの外周壁に当接するとともに、上に位置するダネッジの上記側壁の裏面から膨出している縦凸条が、下に位置するダネッジの上記側壁に当接するように構成したものである。
【００１７】
【実施例】
以下に．本発明の実施例について説明するが、本発明の趣旨を越えない限り何ら、本実施例に限定されるものではない。
【００１８】
本実施例のダネッジＤは、土手部２に形成された縦溝４の構成が異なる点及び土手部２の抜き勾配θ２が、外周壁１の抜き勾配θ１より大きい点で異なる以外は、上述した従来のダネッジＤ’と同じ構成を有しているので、従来のダネッジＤ’と同じ構成部材については、同じ符号を使用するとともに、その詳細な説明は省略する。
【００１９】
本実施例のダネッジＤは、物品が収容される収容凹部Ｓを構成する土手部２の側壁２ｂの抜き勾配θ２が、外周壁１の抜き勾配θ１より大きく形成されている。例えば、外周壁１の抜き勾配θ１は、従来のダネッジＤ’と同様に、３〜５度程度に形成されており、土手部２の側壁２ｂの抜き勾配θ２は、８〜１５度程度に形成されている。
【００２０】
従来のダネッジＤ’の土手部２の側壁２ｂに形成された縦溝４と同様に、本実施例のダネッジＤの土手部２に形成された縦溝４０も、相対する側壁部４０ａと奥壁部４０ｂとを有している。そして、縦溝４０を構成する相対する側壁部４０ａは、互いに平行に形成されているとともに、土手部２の側壁２ｂに対して垂直に形成されている。また、奥壁部４０ｂは、土手部２の側壁２ｂと平行に形成されており、換言すれば、奥壁部４０ｂの抜き勾配は、土手部２の側壁２ｂの抜き勾配θ２と同じであり、相対する側壁部４０ａと奥壁部４０ｂとの内角θ３は、略９０度に形成されている。
【００２１】
本実施例のダネッジＤも、従来のダネッジＤ’と同様に、真空成形により形成されているので、ダネッジＤを裏側から見た場合には、土手部２内には、土手部２に対応して、下方が開放されたトンネル状の空洞空間２’が形成されているとともに、土手部２を構成する側壁２ｂに形成された縦溝４０に対応して、側壁２ｂの裏面（空洞空間２’側の面）２ｂ１から、略角筒状の縦凸条４０’が膨出している。
【００２２】
上述した構成を有する２つのダネッジＤを、上下方向に配置した際には、上に位置するダネッジＤａの底部３及び底部３付近の外周壁１が、下に位置するダネッジＤｂの上部開口部に挿入されるとともに、下に位置するダネッジＤｂの土手部２の上部が、上に位置するダネッジＤａの下方が開放された空洞空間２’の下部に挿入されることになる。この時点では、上に位置するダネッジＤａと下に位置するダネッジＤｂとは、互いに、如何なる個所においても接触してない。
【００２３】
その後、上に位置するダネッジＤａを下げると、図５に示されているように、上に位置するダネッジＤａの外周壁１の外面１ａが、下に位置するダネッジＤｂの外周壁１の内面１ｂに当接することになる。上に位置するダネッジＤａの外周壁１の外面１ａが、下に位置するダネッジＤｂの外周壁１の内面１ｂに当接した時点においては、土手部２の側壁２ｂの抜き勾配θ２は、外周壁１の抜き勾配θ１より大きく形成されているので、上に位置するダネッジＤａの空洞空間２’を形成する土手部２の側壁２ｂの裏面２ｂ１は、下に位置するダネッジＤｂの土手部２の側壁２ｂの外面（収容凹部Ｓ側の面）２ｂ２に当接していない。
【００２４】
しかしながら、本実施例のダネッジＤの土手部２に形成された縦溝４０の相対する側壁部４０ａは、互いに平行で、且つ、土手部２の側壁２ｂに対して垂直に形成されているとともに、奥壁部４０ｂの抜き勾配は、土手部２の側壁２ｂの抜き勾配θ２と同じに形成されているので、上に位置するダネッジＤａの外周壁１の外面１ａが、下に位置するダネッジＤｂの外周壁１の内面１ｂに当接した時点で、図５や図６に示されているように、上に位置するダネッジＤａの土手部２を構成する側壁２ｂの裏面２ｂ１から膨出している縦凸条４０’が、下に位置するダネッジＤｂの土手部２を構成する側壁２ｂに形成された縦溝４０の側壁部４０ａ付近に位置する側壁２ｂの外面２ｂ２が当接することになる。
【００２５】
上述したように、ダネッジＤの土手部２に形成された縦溝４０の相対する側壁部４０ａを、互いに平行で、且つ、土手部２の側壁２ｂに対して垂直に形成するとともに、奥壁部４０ｂの抜き勾配を、土手部２の側壁２ｂの抜き勾配θ２と同じに形成することにより、ネスティング状態において、上に位置するダネッジＤａの土手部２を構成する側壁２ｂの裏面２ｂ１から膨出している縦凸条４０’が、下に位置するダネッジＤｂの土手部２を構成する側壁２ｂに形成された縦溝４０内に挿入されるようなことはなく、上に位置するダネッジＤａの土手部２を構成する側壁２ｂの裏面２ｂ１から膨出している縦凸条４０’が、下に位置するダネッジＤｂの土手部２を構成する側壁２ｂに形成された縦溝４０の側壁部４０ａ付近に位置する側壁２ｂの外面（収容凹部Ｓ側の面）２ｂ２が当接することになる。
【００２６】
従って、本実施例のダネッジＤをネスティングした際には、上に位置するダネッジＤａの外周壁１の外面１ａが、下に位置するダネッジＤｂの外周壁１の内面１ｂに当接するとともに、上に位置するダネッジＤａの土手部２を構成する側壁２ｂの裏面２ｂ１から膨出している縦凸条４０’が、下に位置するダネッジＤｂの土手部２を構成する側壁２ｂに形成された縦溝４０の側壁部４０ａ付近に位置する側壁２ｂの外面２ｂ２に当接しているので、上に位置するダネッジＤａが下方に撓むようなことがなく、多数のダネッジＤを、安定した状態でネスティングすることができる。
【００２７】
物品が収容される収容凹部Ｓを構成する土手部２の側壁２ｂの抜き勾配θ２が、外周壁１の抜き勾配θ１より大きく形成されているダネッジＤを、ネスティングした際には、このように、物品が収容される収容凹部Ｓを構成する土手部２の側壁２ｂの抜き勾配θ２が、外周壁１の抜き勾配θ１より大きく形成されているので、土手部２のネスティングが容易になり、ネスティング作業の作業性が向上するとともに、上に位置するダネッジＤａの外周壁１が、下に位置するダネッジＤｂの外周壁１に当接し、且つ、上に位置するダネッジＤａの上記側壁２ｂの裏面２ｂ１から膨出している縦凸条４０’が、下に位置するダネッジＤｂの上記側壁２ｂに当接するように構成したので、上に位置するダネッジＤａが下方に撓むようなことがなく、多数のダネッジＤを、安定した状態でネスティングすることができる。
【００２８】
なお、上述した実施例には、ダネッジが、真空成形により成形されている例が示されているが、圧空成形や射出成形等により形成することもできる。
【００２９】
【発明の効果】
本発明は、以上説明したように構成されているので、以下に記載するような効果を奏するものである。
【００３０】
ネスティング作業の作業性が向上するとともに、ネスティング状態において、上に位置するダネッジの外周壁が、下に位置するダネッジの外周壁に当接するとともに、上に位置するダネッジの上記側壁の裏面から膨出している縦凸条が、下に位置するダネッジの上記側壁に当接するように構成されているので、上に位置するダネッジが下方に撓むようなことがなく、多数のダネッジを、安定した状態でネスティングすることができる。
【図面の簡単な説明】
【図１】図１は、本発明の一例としてのダネッジの斜視図である。
【図２】図２は、図１に示されているダネッジに形成されている縦溝付近の斜視図である。
【図３】図３は、図１に示されているダネッジの垂直側断面図である。
【図４】図４は、図１に示されているダネッジに形成されている縦溝の水平断面図である。
【図５】図５は、図１に示されている一対のダネッジのネスティング状態を示す垂直側断面図である。
【図６】図６は、図５に示されているネスティング状態のダネッジの縦溝付近の水平断面図である。
【図７】図７は、従来の一例としてのダネッジの斜視図である。
【図８】図８は、図７に示されているダネッジに形成されている縦溝付近の斜視図である。
【図９】図９は、図７に示されているダネッジの垂直側断面図である。
【図１０】図１０は、図７に示されているダネッジに形成されている縦溝の水平断面図である。
【図１１】図１１は、図７に示されている一対のダネッジのネスティング状態を示す垂直側断面図である。
【図１２】図１２は、従来の他のダネッジの図９と同様の垂直側断面図である。
【図１３】図１３は、図１２に示されている一対のダネッジのネスティング状態を示す垂直側断面図である。
【符号の説明】
Ｄ・・・・・・・・・・・・ダネッジ
Ｓ・・・・・・・・・・・・収容凹部
１・・・・・・・・・・・・外周壁
２・・・・・・・・・・・・土手部
４・・・・・・・・・・・・縦溝
４’・・・・・・・・・・・縦凸条
【図１】
2005053487.tif 000003
【図２】
2005053487.tif 000004
【図３】
2005053487.tif 000005
【図４】
2005053487.tif 000006
【図５】
2005053487.tif 000007
【図６】
2005053487.tif 000008
【図７】
2005053487.tif 000009
【図８】
2005053487.tif 000010
【図９】
2005053487.tif 000011
【図１０】
2005053487.tif 000012
【図１１】
2005053487.tif 000013
【図１２】
2005053487.tif 000014
【図１３】
2005053487.tif 000015